(57)【要約】【課題】釣針やオモリなど細かい部品が扱いにくく、見失ったり不用意に水面に光を投じてしまったりすることや、光がまぶしく作業しにくい等の課題があった。これらを解決し夜釣りにおける仕掛け作りや餌付けに適した照明器具を提供する。【解決手段】略お盆状の受け皿１と、一端に照明手段１３ａを付属し他端を受け皿との接続部３とした発光部２と、照明手段の照射方向の調整手段と、電源の電池とを有し、照明手段１３ａの照射方向は上方より下方に向けて前記受け皿１上およびその周辺を照射可能とする。【選択図】図５
2009181835.tif 000002
【特許請求の範囲】
【請求項１】
略お盆状の受け皿と、
一端に暗闇にて周囲を明るく照らす照明手段を付属し、他端を前記受け皿との接続部とした発光部と、
前記照明手段の照射方向を変更できる調整手段と、
電源としての電池とを有し、
前記の照明手段の照射方向は上方より下方に向けて前記受け皿上およびその周辺を照射可能とした受け皿付きライト。
【請求項２】
発光部を、受け皿上または受け皿の傍らに沿わせ収納可能とした請求項１に記載の受け皿付きライト。
【請求項３】
受け皿上の任意の位置に１箇所または複数箇所の凹みを形成し、前記凹みの底部と凹み周辺との間を斜面とした請求項１または２に記載の受け皿付きライト。
【請求項４】
発光部を略柱形状とし、
前記略柱状の発光部が接続部を支点に回動し受け皿上または傍らに沿わせ収納可能に構成するとともに、前記略柱状の発光部をその長手方向軸を中心に回転自在とした請求項１または２に記載の受け皿付きライト。
【発明の詳細な説明】
【技術分野】
【０００１】
本発明は電池を電源とし、夜釣などの暗闇での仕掛け作りや餌付けなどの作業時に使用する照明器具に関する。
【背景技術】
【０００２】
従来、夜釣りにおける仕掛け作りや餌付けなどの作業に使用する照明器具としてはランタンやヘッドランプなどが一般的に使われている。夜釣りにおいてこれらの照明器具は暗闇での視界を補い、必要な明かりを提供するものとして広く使用されているが、従来のような照明器具は以下のような使い方をされていた。
【０００３】
夜釣りで明かりを必要とするのは、主に、針結びや仕掛けの交換作業時や針に餌をつける場合である。仕掛けに使用する針、オモリ、サルカン、ゴム管、電気ウキ、ウキ止めなどは小物部品が多く、取付け作業は勿論繊細なものになり、各部品を見失わないように気を使う。ランタン等を点灯し、作業現場の傍らに置き、道具箱から取り出した小物部品を防波堤上やクーラーボックス上などに仮置きし仕掛けの準備等を行なう。生きた虫餌なども同様に餌パックを広げ作業を行なう。糸切りハサミやペンチなどの道具も同様に取り出して作業を行なう。ヘッドランプを使用する場合はその光は前方に照射する構造上、照射範囲の狭い照明器具であるので各々の部品や道具を置いた先を転々と照らしながら作業を進めていく（例えば、特許文献１、特許文献２参照）。
【特許文献１】特許第３８０１８８１号公報
【特許文献２】実開平０６−８０２０３号公報
【発明の開示】
【発明が解決しようとする課題】
【０００４】
前述のとおり、夜釣りで仕掛けに使用する針、オモリ、サルカン、ゴム管、電気ウキ、ウキ止めなどは小物部品が多いため、繊細な取付け作業となり各部品を見失わないように気を使う。防波堤上に置いた細かい部品は地面の凹凸や色彩に紛れ非常に見難く、また非常に掴みにくい。クーラーボックス上に置いても足場が不安定な釣り場では、クーラーボックスの傾斜により転がって地面に落ちることもあるが、一度地面に落ちると細かい部品は見つけ難い。ランタンの光の及ぶ範囲は広いとはいえ、細かい部品を認識し繊細な作業をするには本体にかなり近づいて作業をしなければ照度が不足してしまう。生きた虫餌などもうす暗い中で目を離した隙にパックから逃げ出してしまうこともしばしばである。ランタンに近づいて作業すると、ランタンの光源方向を向いて作業をするため、光源が目に入り眩しくなる。しかも細かい作業をする時、人間の視点は自分の手元を見ているが、ランタンの光が手の先から射しこむため、肝心の手元が暗くなってしまう。その結果、快適に作業するために別の照明器具をもう一つ持ち込むことにもなる。
【０００５】
ヘッドランプの場合は、光源が頭上などにあるので、目に直接光は入らず眩しくはないが、照射範囲が狭く各々の部品や道具を置いた先を転々と照らしながら作業を進めていくので、やはり部品や道具を見失いやすい。色々な場所を転々と照らしているうちに不用意に水面に光を投じてしまい魚を散らしたり、隣の釣り人に迷惑をかけたりすることもある。また、失わないように多くの部品や道具を一つ一つ道具箱や小袋から取り出していたのでは作業効率が悪くなる。さらに、不安定な釣り場では置いた照明器具が倒れたり転がったりするので、安定的に設置する配慮が必要である。
【０００６】
以上のような課題を解決し、夜釣りにおける仕掛け作りや餌付けに適した実用性の高い照明器具を提供することを目的とする。
【課題を解決するための手段】
【０００７】
上記目的を達成するために、略お盆状の受け皿と、一端に暗闇にて周囲を明るく照らす照明手段を付属し、他端を前記受け皿との接続部とした発光部と、前記照明手段の照射方向を変更できる調整手段と、電源としての電池とを有し、前記の照明手段の照射方向は上方より下方に向けて前記受け皿上およびその周辺を照射可能な構成とする。
【発明の効果】
【０００８】
本発明によると、略お盆状の受け皿を有しているので、仕掛けに使用する針、オモリ、サルカン、ゴム管、電気ウキ、ウキ止めなどの小物部品やハサミ、ペンチなどの道具類、餌などを置いて使用できる。受け皿周囲には側壁を有するため置いた小物部品等が転がり落ちることがない。
【０００９】
また、発光体は一端は受け皿と接続し、他端の照明手段は受け皿から鉛直方向上方に位置して下方に向けて前記受け皿上およびその周辺を照射する。照射範囲が定まり置いた部品等が確実に照らし出されるため、一度に多くの部品を出して使えるので作業効率が良い。また、照射範囲が受け皿上とその周辺に定まることから、不用意に光を散らし魚に警戒心を与えることも無いし隣の釣り人にも気を使わなくてよい。
【００１０】
照明は鉛直方向上方に位置する照明手段より下方に向けて行なわれるため、直接目に光が射すことはなく眩しくないし、照明の下で行なうので手元の手前が明るく照らされ繊細な作業も可能である。なお、鉛直上方に発光部を持っているが、受け皿が広い設置面を持つので受け皿による安定性がよいため、地面が平坦でない防波堤や風の強い状況でも問題なく使用できる。
【００１１】
また、照射方向の調整手段を有しているので、受け皿の隣に置いた道具箱や餌箱までも狙って自由に照らすことができ、適時必要な道具や餌を取り出して受け皿上で作業することができる。そのため、複数の照明器具を持ち込む必要もない。以上のように、従来の照明器具における課題を解決するものである。
【発明を実施するための最良の形態】
【００１２】
本発明において、発光部を、受け皿上または受け皿の傍らに沿わせ収納可能とすると、釣り場への携帯時や自宅保管時に発光部を折りたたむことができるので荷物がかさばることがない。
【００１３】
さらに、受け皿上の任意の位置に１箇所または複数箇の凹みを形成すると、針やオモリなどの小さい部品が転がらないようにまとめておくことができる。複数凹みがあれば数種類の部品に対応する。前記凹みの底部と周辺部の間を斜面とすると、部品を指先で押さえ斜面を滑らせるようにし外輪郭線まで持ち上げてくるので掴みやすくなる。
【００１４】
なお、好ましくは前記発光部を略柱形とし、前記略柱状の発光部が前記接続部を支点に回動し前記受け皿または傍らに沿わせ収納可能に構成するとともに、前記略柱状の発光部をその長手方向軸を中心に回転自在とすると、折りたたみ時の収納状態が美しく、略柱状の発光部の先端付近に位置している照明手段の照射方向を容易に変えることができる。柱状発光部が手で軽く回る程度に設計しておけば、ごく簡単に、適時、受け皿周辺へも光を照射することができて便利である。なお、この構成によると構造が簡素で比較的安価に光の照射方向調整機能を付加することができることも利点である。
【００１５】
以下、本発明の実施の形態について図面を参照しつつ詳細に説明する。
【００１６】
（実施の形態１）
図１は本発明の実施の形態１における受け皿付きライトの外観正面図、図２は同実施の形態１における受け皿付きライトの外観天面図、図３は同実施の形態１における受け皿付きライトの外観背面図、図４は同実施の形態１における受け皿付きライトの受け皿を裏側より見た底面図、図５は図４におけるＡ−Ａの断面図、図６は図４におけるＢ−Ｂの断面図である。
【００１７】
受け皿１は、側壁を有したお盆状の形をしており、置いた部品などが転がり落ちない構造である。図５に示すように受け皿１の傍らには、柱状の発光部２が、差込凸部８ｃを接続部３の差込穴２０に嵌合し接続している。接続部３は、図６の断面図に示すように回転支軸３ａを有して受け皿１内に設けた軸受け１ａに嵌められ回転自在である。受け皿１裏面には板状のカバー４を被せ、締め付けビス５にて受け皿１に固定され、接続部３を抜け止めしている。この接続部３は、意匠的都合上、受け皿１の裏側より組み付け受け皿１と一体的となっているが、発光部側に接続部３に相当する部品を付帯させても技術的思想は同じでどちらでも良い。受け皿１裏面には、四隅に滑り止めのゴム足６を接着剤にて固定する。クーラーボックスの上など滑りやすいところに置いても安定して使用できる。
【００１８】
次に、発光部２の構造を説明する。本体ケース７は下部に底部７ｂを有した筒形状とし、底部７ｂからさらに下方へと延長された電池収納部７ｃを一体に形成させている。本体ケース７の底部７ｂ付近には下方より電池カバー８の上部開口部を嵌着し、内部に前記電池収納部７ｃが位置した構成としている。なお、電池カバー８の後部には上方に延長し引っ掛けつめ８ｂを有した突出片８ａを構成し、本体ケース７の後部に設けた凹部７ｄに前記引っ掛け爪８ｂが係合し着脱可能に構成してなる。この電池カバー８の下端には、接続部３と接続するための差込凸部８ｃを設けている。９は電気回路が搭載された制御基板で本体ケース７内に位置させ、発光部２上方から斜め下方を照らすよう照明手段の白色ＬＥＤ１０を取り付け、この前面に設けられた透明のレンズ１１を通じて外部に照射される。斜め下方を照らすので、主な照射範囲は、図５に示す照射範囲（３）のようになり、受け皿１の前で作業をするとき手の上から光が当たり作業がしやすい。また、白色ＬＥＤ１０の光が上方に漏れないよう黒色の目隠し板１２を設けると眩しさが無い。白色ＬＥＤ１０と透明レンズ１１は本体ケース７の前面よりも若干突出させると、発光部２の根元付近が陰にならず受け皿１上を満遍なく照らすことができる。なおこの透明レンズ１１は本体ケース７の正面上方に気密に固着されている。前記の透明レンズ１１の前面は内部機構を目隠しする銘板１３にて覆われ、白色ＬＥＤ１０の正面を穴抜きし照明手段１３ａを形成している。
【００１９】
さらに制御基板９のほぼ中央にはスイッチ１４を有し、このスイッチ１４の前方で本体ケース７に穴をあけスイッチボタン１５を配置させ、前記の銘版１３のスイッチ位置表示部１３ｂを押すことでスイッチボタン１５が押されスイッチ１４が作動するよう関連付けされている。銘板１３は内部のスイッチボタン１５を押し動かすため、ＰＥＴやポリカーボネート等の柔軟性のある樹脂薄板を使用する。なお、銘板１３は両面テープにより気密性を保ち貼り付けられている。制御基板９には上記白色ＬＥＤ１０の点灯電流などを制御するための電子部品が搭載されている。制御基板９は下方の電池収納ケース７ｃに導通線にて電気的に電源の電池に接続されてなる。白色ＬＥＤ１０近傍の１６はキャップで、制御基板９の位置保持のために設けている。上部の先端フタ１７は、キャップ１６が動かないように押さえつつ本体ケース７の上部開口部７ａに嵌め込まれている。
【００２０】
なお、先端フタ１７と上部開口部７ａとのはめ込み部はＯリングＡ１８を介して気密に嵌着されてなり、同様に本体ケース底部７ｂ近辺と電池カバー８との嵌め合い部はＯリングＢ１９により気密嵌着された構造としている。雨や海水がかかる場所でも安心して使えるし、汚れても水をかけて洗うことができる。
【００２１】
スイッチボタン１５を押しスイッチ１４をオンにすると、白色ＬＥＤ１０が点灯し、照明の下での作業が可能になる。さらに、制御基板９の回路構成により照明手段１３ａ内の白色ＬＥＤ１０の照度を切り替えできると便利である。白色ＬＥＤ１０の照度の切り替え操作は前記スイッチ表示部１３ｂを押する度に段階的に切り替わるなど簡単な操作で切り替わるよう回路構成とするのが望ましい。
【００２２】
接続部３と差込凸部８ｃの嵌合部は、円径同士の嵌め合わせにて発光部２の長手方向軸を中心に３６０度回転可能としている。そのため、照明手段１３ａから出た光の照射方向を変えることができる。例えば図２に示すように、受け皿上に置いたものを照らす時は破線にて示す照射範囲（１）、受け皿の横に餌パックなどを置いて、受け皿上と両方を照らしたい時は２点鎖線にて示す照射範囲（２）とするなど調整ができる。
【００２３】
図７には、発光部２を受け皿１より取り外した状態を３つの図面を関連付けて示した。図７（ａ）は本発明の実施の形態１における受け皿付きライトの発光部２のみの正面図、図７（ｂ）は同発明の実施の形態１における受け皿付きライトの発光部２のみの底面図、図７（ｃ）は同発明の実施の形態１における受け皿付きライトの接続部３が形成する差込穴２０の形状を示す上面図である。差込凸部８ｃは棒形で、周囲に係止用凹み２１を形成し、先端は円形の一部をカットしたＤカット部２２としている。一方、接続部３の差込穴２０内には係止用凸部２３が形成され、差込穴２０の開口形状は略Ｄ形状となっている。この略Ｄ形状の穴と前記Ｄカット部２２を合わせると嵌合することができる仕組みである。差込凸部８ｃを差込穴２０内に奥まで突っ込んだ後、発光部２の長手軸を中心に回転させると、前記係止用凹み２１に係止用凸部２３が入りこんで抜け止めとなる。こうして着脱可能かつ不用意に抜けることのない構造を得る。発光部２が着脱できると電池交換時や洗浄時に扱いやすい。なお、作業時に発光部２に手などが当たった時、不用意に発光部が回転しないよう、差込凸部８ｃにＯリングＣ２４を嵌め、嵌合軸内で若干の回転負荷をかけると良い。
【００２４】
図８は本実施の形態１における受け皿付きライトの発光部２を受け皿１内に倒し収納した状態を表す外観天面図、図９は同実施の形態１における受け皿付きライトの発光部２を受け皿１内に倒し収納した状態で図４のＡ−Ａから見た場合の断面図である。受け皿１の側壁に設けた切り込み２５に入るよう、発光部２を倒していく。このとき、受け皿１裏面の板状のカバー４と接続部３を擦らせるなどで接続部３に適度に回転負荷を与えておくと、発光部２の直立使用時に不用意に倒れない。本実施の形態１のように発光部２を受け皿１内に倒すと収納時寸法が小さく済む。また、受け皿１の深さと発光部２の厚みを同じに設計しておけば収納時に凹凸がなくバッグなどに入れやすい。
【００２５】
以上のように、回転支軸３（ａ）と差込穴２０の二つの可動機能を接続部３の一部品内に備え、簡素で安価な設計を実現する。受け皿１上には、楕円形状の部品入れ凹み２６を設けているので細かい部品をまとめるのに便利である。図５や図９に示すように部品入れ凹み２６の外輪郭線に向かって駆け上がる斜面とすると、部品を指で押えながら滑らせ、外輪郭線上まで持ってきて容易に掴むことができる。
【００２６】
（実施の形態２）
図１０は本発明の実施の形態２における受け皿付きライトの使用状態を示す外観斜視図、図１１は同実施の形態２における受け皿付きライトの発光部２を受け皿１内に倒し収納した状態を表す外観斜視図である。中央にヒンジ部２７を、一側方に係止用バックル２８を有した折り畳み式受け皿１を形成し、実施の形態１にて説明した柱状の発光部２を組み立てて使用するものである。折り畳み式の受け皿１の一側方に差込穴を有する接続部３を有し、そこに前記発光部２を差し込み直立させ、かつ発光部２の長手方向軸を中心に回転
自在とする。使用後は、前記発光部２を上方に持ち上げ接続部３より引き抜き、折り畳み式の受け皿１内に設けた収納場所２９（斜線部）に発光部２を収めた後、受け皿１を折り畳み、係止バックル２８を固定すると図１１に示す折り畳み収納状態となる。本発明の実施の形態２によると受け皿１を折り畳み面積が半分となるので携帯性が良い。
【００２７】
（実施の形態３）
図１２は本発明の実施の形態３における受け皿付きライトの使用状態を示す外観斜視図、図１３は同実施の形態３における受け皿付きライトの発光部２を受け皿１内に倒し収納した状態を表す外観斜視図である。この実施の形態も、受け皿１と、一端に照明手段を付属し他端を受け皿との接続部とした発光部２とを有した構成である。発光部の可動する箇所が、発光部２の収納に係る接続部３と照明手段１３ａの照射方向の調整に係る照射方向調整軸３０の２箇所に存在している。照明手段１３ａは上方より下方に照射するよう設置されており、照射方向の調整は発光部２中ほどから先端の間に設けられた照射方向調整軸３０によって行なう。本発明の実施の形態１及び実施の形態２と比較し、やや複雑な構造となるが照明手段１３ａを受け皿１の鉛直上方のほぼ中央に位置させることができるので受け皿上がより見やすくなり、細かい照射角の設定ができるため作業がより行ないやすい。電池３１は受け皿１内に位置する電池収納ケース３２に収められている。重量の重い電池３１を低い位置に設置することで、地面への安定設置効果がより期待できる。なお、本発明の実施の形態１及び実施の形態２と同じく、図１３に示すように発光部２を折り畳み収納することができる。
【産業上の利用可能性】
【００２８】
本発明によると、受け皿とそれに接続される発光部により細かい部品を見失うことなく照射範囲を定め、部品の掴みやすさや携帯性にも考慮した照明器具を提供するもので、釣りはもちろんの事、アウトドア−レジャーにおける軽作業用として、工事・自動車整備などの部品置きとしても使用できるなど、利用の可能性は無限である。
【図面の簡単な説明】
【００２９】
【図１】本発明の実施の形態１における受け皿付きライトの外観正面図
【図２】同実施の形態１における受け皿付きライトの外観天面図
【図３】同実施の形態１における受け皿付きライトの外観背面図
【図４】同実施の形態１における受け皿付きライトの受け皿を裏側より見た底面図
【図５】図４におけるＡ−Ａの断面図
【図６】図４におけるＢ−Ｂの断面図
【図７】（ａ）同実施の形態１における受け皿付きライトの発光部２のみの正面図、（ｂ）同実施の形態１における受け皿付きライトの発光部２のみの底面図、（ｃ）同発明の実施の形態１における受け皿付きライトの接続部３が形成する差込穴２０の形状を示す天面図
【図８】同実施の形態１における受け皿付きライトの発光部２を受け皿１内に倒し収納した状態を表す外観天面図
【図９】同実施の形態１における受け皿付きライトの発光部２を受け皿１内に倒し収納した状態で図４のＡ−Ａから見た場合の断面図
【図１０】本発明の実施の形態２における受け皿付きライトの使用状態を示す外観斜視図
【図１１】同実施の形態２における受け皿付きライトの発光部２を受け皿１内に倒し収納した状態を表す外観斜視図
【図１２】本発明の実施の形態３における受け皿付きライトの使用状態を示す外観斜視図
【図１３】同実施の形態３における受け皿付きライトの発光部２を受け皿１内に倒し収納した状態を表す外観斜視図
【符号の説明】
【００３０】
１      受け皿
２      発光部
３      接続部
４      板状のカバー
５      締め付けビス
６      ゴム足
７      本体ケース
７ａ    上部開口部
７ｂ    底部
７ｃ    電池収納部
７ｄ    凹部
８      電池カバー
８ａ    突出片
８ｂ    爪
８ｃ    差込凸部
９      制御基板
１０    白色ＬＥＤ
１１    透明レンズ
１２    目隠し板
１３    銘板
１３ａ  照明手段
１３ｂ  スイッチ表示部
１４    スイッチ
１５    スイッチボタン
１６    キャップ
１７    先端フタ
１８    ＯリングＡ
１９    ＯリングＢ
２０    差込穴
２１    係止用凹み
２２    Ｄカット部
２３    係止用凸部
２４    ＯリングＣ
２５    切り込み
２６    部品入れ凹み
２７    ヒンジ部
２８    係止用バックル
２９    収納場所
３０    照射方向調整軸
３１    電池
３２    電池収納ケース
【図１】
2009181835.tif 000003
【図２】
2009181835.tif 000004
【図３】
2009181835.tif 000005
【図４】
2009181835.tif 000006
【図５】
2009181835.tif 000007
【図６】
2009181835.tif 000008
【図７】
2009181835.tif 000009
【図８】
2009181835.tif 000010
【図９】
2009181835.tif 000011
【図１０】
2009181835.tif 000012
【図１１】
2009181835.tif 000013
【図１２】
2009181835.tif 000014
【図１３】
2009181835.tif 000015